【事件の表示】
　特許第６６７２２１５号発明「箱型船」の特許異議申立事件について、次のとおり決定する。
【結　論】
　特許第６６７２２１５号の請求項１ないし３に係る特許を維持する。
【理　由】
第１　手続の経緯　
　特許第６６７２２１５号の請求項１ないし３に係る特許についての出願は、平成２８年１０月２６日に出願した特願２０１６−２０９８５０号（以下、「原出願」という。）の一部を、特願２０１７−７３９９０号として平成２９年４月３日に新たな特許出願（以下、「本件出願」という。）としたものであって、令和２年３月６日にその特許権の設定登録がされ、令和２年３月２５日に特許掲載公報が発行された。その後、その特許に対し、令和２年９月２５日に特許異議申立人　本庄　正秀（以下「申立人」という。）は、特許異議の申立てを行った。
第２　本件発明
　特許第６６７２２１５号の請求項１ないし３の特許に係る発明（以下「本件発明１」等という。）は、その特許請求の範囲の請求項１ないし３に記載された事項により特定される次のとおりのものである。
【請求項１】
　酸処理液を貯留する酸処理槽と、該酸処理槽内に設けられ、海苔が付着した海苔網を巻き取る一対の巻取ロールとを備える箱型船であって、
　前記酸処理槽に設けられ、前記酸処理液のｐＨを検出するｐＨセンサと、
　前記巻取ロールに巻き取られる前記海苔網と干渉しない位置に設けられ、酸原液を吐出する原液吐出部と、
　前記ｐＨセンサの検出値に基づいて前記原液吐出部に供給する前記酸原液の供給量を自動調節する原液供給装置とを備え、
　前記原液吐出部は、前記一対の巻取ロールに沿って前記酸処理槽の上方に設けられる管状部材であり、前記一対の巻取ロールの間に設けられていることを特徴とする箱型船。
【請求項２】
　前記管状部材は、複数の吐出孔が所定間隔で形成されており、前記吐出孔から前記酸原液を吐出することを特徴とする請求項１に記載の箱型船。
【請求項３】
　前記ｐＨセンサは、前記酸処理槽内において前記原液吐出部の近傍に設けられていることを特徴とする請求項１または２に記載の箱型船。
第３　申立理由の概要及び提出された証拠
　１　申立理由の概要　
　申立人は、甲第１号証ないし甲第４号証（主たる証拠として甲第１号証）を提出して、本件発明１ないし３は、特許法第２９条第２項の規定により特許を受けられないものであり、本件発明１ないし３に係る特許は、特許法第１１３条第２号に該当し取り消されるべきである旨、本件発明１ないし３は、特許法第３６条第６項第１号の規定する要件を満たしておらず、本件発明１ないし３に係る特許は、特許法第１１３条第４号に該当し取り消されるべきである旨、主張している。
　なお、特許異議申立書（以下「申立書」という。）の第１頁下から４行及び第３頁第２行の「特許法第３６条第６項第２号」との記載は、申立書第１２頁第２行〜第１３頁第３行で主張される具体的理由が「特許法第３６条第６項第１号違反（サポート要件違反）」であることから、「特許法第３６条第６項第１号」の誤記と認めた。
　２　提出された証拠
　申立人が提出した申立書に添付された証拠は、以下のとおりである。
（１）特許法第２９条第２項に係る出願前公知文献として挙げられた証拠
　甲第１号証：特開平５−９５７４０号公報
　甲第２号証：特開平１１−３３２４０６号公報
　甲第３号証：特開平４−２５２１２１号公報
　甲第４号証：特開平８−２９８８８５号公報
（２）本件特許についての出願及びその分割原出願に関する証拠
　甲第５号証：１−１　原出願の公開特許公報及び経過情報
　　　　　　　２−１　原出願に対する平成２９年２月１６日付け
　　　　　　　　　　　拒絶理由通知書
　　　　　　　２−２　原出願の平成２９年４月３日付け意見書
　　　　　　　２−３　原出願の平成２９年４月３日付け手続補正書
　　　　　　　３−１　原出願の特許公報（特許第６１６１０１６号）
　甲第６号証：１−１　本件出願の公開特許公報及び経過情報
　　　　　　　２−１　本件出願に対する平成３０年４月２３日付け
　　　　　　　　　　　拒絶理由通知書
　　　　　　　２−２　本件出願の平成３０年６月２７日付け意見書
　　　　　　　２−３　本件出願の平成３０年６月２７日付け手続補正書
　　　　　　　３−１　本件出願に対する平成３０年１１月２２日付け
　　　　　　　　　　　拒絶理由通知書
　　　　　　　３−２　本件出願の平成３１年１月１７日付け意見書
　　　　　　　３−３　本件出願の平成３１年１月１７日付け手続補正書
　　　　　　　４−１　本件出願に対する令和１年６月１８日付け
　　　　　　　　　　　拒絶理由通知書
　　　　　　　４−２　本件出願の令和１年８月２日付け意見書
　　　　　　　４−３　本件出願の令和１年８月２日付け手続補正書
　　　　　　　５−１　本件出願の特許公報（特許第６６７２２１５号）
第４　各証拠の記載
　特許法第２９条第２項に係る出願前公知文献として挙げられた甲第１号証ないし甲第４号証には、それぞれ、以下の事項が記載されている。
　１　甲第１号証（特開平５−９５７４０号公報）
　申立書に添付された甲第１号証には、以下の事項が記載されている。（下線は当審で付した。以下同様。）
（１）「【００１３】
【実施例】本発明の実施例を図面にもとづき詳説すれば、第１図の説明図において、
１は本発明に係る海苔網処理装置を示し、同処理装置１は、船内に装着し
海苔網処理装置１は、一定容量の処理槽２内に、海苔網引上装置３を取付けており、同引上装置３は、処理槽２内に２つの回転体４，５を軸支し、しかも、各回転体４，５を正逆回転自在として、一方の回転体４を海苔網引上げ用とし、他方の回転体５を海苔網戻し用としている。
【００１４】また、処理槽２の一側部には、駆動エンジン６と連動機構７とを設けており、同エンジン６の出力軸に、連動機構７を介して各回転体４，５とを連動連結している。
【００１５】本発明では、
海苔網処理装置１に、処理槽２内に酸原液を供給する酸原液補給装置８と、酸処理液ａのｐＨを検出し、補給装置８の作動させて、酸処理液ａを一定のｐＨ値、例えばｐＨ２．０前後に保持する制御部９とを設け
【００１６】本実施例では、
補給装置８を、酸原液を収納したタンク１０と、処理槽２内に伸延したパイプ１１と、酸原液を補給するポンプ１２とよりなり
タンク１０に、ポンプ１２を介してパイプ１１の基端部を接続し、同パイプ１１の先端部を処理槽２内の側面から底面に沿って配設している。なお、１３はパイプ１１に設けた酸原液を噴出する為の孔を示す
【００１７】また、
処理槽２内には、ｐＨ検出用センサ１４を取付けており、同酸処理液ａのｐＨ値を検出しており、
【００１８】さらに、本発明では、制御部９を介して補給装置８を作動させ、処理槽２内に酸原液を補給して、酸原液のｐＨ値を一定に保持するようにしており、補給装置８を作動させる制御部９の構成について詳説すると、図３において、
制御部９は、マイクロプロセッサユニットＭＰＵと、入出力インターフエイス１６，１７と、ＲＯＭ及びＲＡＭからなるメモリ１８と、タイマ１９とから構成されており、
【００１９】一方、出力インターフエイス１７には、補給装置８のポンプ１２が接続されており、同ポンプ１２に操作信号を送信する。また、
メモリ１８には、上記のｐＨ検出用センサ１４からの出力信号に基づいてポンプ１２を作動させるプログラムが記憶されている。このように、制御部９によって、酸原液補給装置８を制御して、酸処理液ａのｐＨ値を一定に保持する
【００２０】本実施例では、制御部９に、ｐＨの上限値と下限値とをセットして、その間でのｐＨ値を一定に保持するものであり、酸処理液ａの目標ｐＨ値を、例えば２．０とした場合、制御部９への上限値と下限値とを２．０５〜１．９５として、酸処理液ａ内のｐＨを可及的に２．０ に保持するようしている。」
（２）「【００２１】次いで、上記の海苔網処理装置１による処理方法について詳説する。即ち、まず、
処理槽２内に入れた海水が、例えば、３００リットルの場合、酸原液１．５リットルを加えて撹拌して、一定のｐＨ値、例えば、ｐＨ２．０とした酸処理液ａとする
【００２２】そして、引上装置３の回転体４に海苔網の一側部を係合させて、駆動エンジン６で回転させて、海苔網を引き上げ、その酸処理液ａに海苔網を約６分間浸漬させ、浸けた海苔網を再度海中に戻し、順次、他の海苔網の作業を行う。
【００２３】その作業中において、処理槽２内のｐＨ検出用センサ１４で、薄くなる酸処理液ａのｐＨ値を検出して、その検出値にもとづいて補給装置８でタンク１０内の酸原液を処理槽２内に補給して、酸処理液ａのｐＨ値を一定のｐＨ値、例えば、２．０前後に保持するものである。
【００２４】かかる処理方法によって、一定のｐＨ値の酸処理液ａに海苔網を浸漬することにより、病菌及び雑藻を除去するとともに、海苔の成長を早め、しかも、各海苔網の成長を一定状態として、海苔の収穫を増大させることができる。」
（３）「【図１】
　　　　　　　　　　　　　　　　　　　　　　　　　　　　」
（４）「【図２】
　　　　　　　　　　　　　　　　　　　　　　　　　　　　」
（５）上記（１）及び（２）の記載を踏まえると、上記（３）の図１及び上記（４）の図２からは、
酸処理液ａを貯留する処理槽２の底面に沿って配設された酸原液を噴出する為の孔１３が複数所定間隔で形成されたパイプ１１は、回転体４，５に沿って、前記回転体４，５の間であって
海苔網と干渉しない位置に配置されている
（６）上記（１）ないし（５）からみて、甲第１号証には、次の発明（以下「甲１発明」という。）が記載されていると認められる。
甲１発明
「海苔網処理装置１は、船内に装着され、
　海苔網処理装置１は、海苔網引上装置３を取付けており、同引上装置３は、酸処理液ａを貯留する処理槽２内に、２つの正逆回転自在の回転体４，５を軸支し、一方の回転体４を海苔網引上げ用とし、他方の回転体５を海苔網戻し用としており、
　処理槽２内には、ｐＨ検出用センサ１４を取付けて、酸処理液ａのｐＨ値を検出しており、
　海苔網処理装置１に、処理槽２内に酸原液を供給する酸原液補給装置８と、酸処理液ａのｐＨを検出し、補給装置８を作動させて、酸処理液ａを一定のｐＨ値、例えばｐＨ２．０前後に保持する制御部９とを設け、
　酸原液補給装置８は、酸原液を収納したタンク１０と、処理槽２内に伸延したパイプ１１と、酸原液を補給するポンプ１２とよりなり、タンク１０に、ポンプ１２を介してパイプ１１の基端部を接続し、パイプ１１の先端部は処理槽２内の側面から底面に沿って配設され、底面に沿って配設されたパイプ１１には複数の酸原液を噴出する為の孔１３が所定間隔で形成されており、パイプ１１は、回転体４，５に巻き取られる海苔網と干渉しない位置に配置され、回転体４，５に沿って、前記回転体４，５の間に設けられており、
　制御部９は、マイクロプロセッサユニットＭＰＵと、入出力インターフエイス１６，１７と、ＲＯＭ及びＲＡＭからなる、ｐＨ検出用センサ１４からの出力信号に基づいてポンプ１２を作動させるプログラムが記憶されているメモリ１８と、タイマ１９とから構成されている、
　海苔網処理装置１を装着した船。」
　２　甲第２号証（特開平１１−３３２４０６号公報）
　申立書に添付された甲第２号証には、以下の事項が記載されている。
（１）「【０００８】
【課題を解決するための手段】本発明は、船
に積載されて消毒液が貯溜される容器と、この容器の内部に配設されて駆動手段により駆動されて回転する複数本の海苔網の巻取り体と、消毒液が貯溜され且つ前記容器内の消毒液が導入されるタンクと、このタンク内の消毒液を吸い出すポンプと、このポンプで吸い出された消毒液を前記容器へ供給する配管とを備えた
海苔網の消毒装置
【０００９】この構成において、容器内の濃度の低い消毒液をタンクに導入し、タンク内の消毒液を希釈する。そしてポンプを駆動することによりタンク内の消毒液を吸い出し、配管を通じて容器に供給する。
【００１０】また好ましくは、前記
配管に接続された吐出部が前記容器の相対する２つの壁面に設けられている
【００１１】この構成によれば、容器内に２方向から消毒液をまんべんなく供給できる。
【００１２】また好ましくは、前記巻取り体が前記容器の内部に４本並設されており、また前記吐出部が前記４本の巻取り体の中の両側部の巻取り体に消毒液を吐出するように前記容器の相対する２つの壁面に設けられている。
【００１３】この構成により、消毒効果の大きい巻取り体へ向って消毒液を吐出できる。
【００１４】また好ましくは、前記相対する２つの壁面に設けられた吐出部から消毒液を選択的に吐出させるための流路の切替手段を設けた。
【００１５】この構成において、流路の切替え手段を操作することにより、互いに相対する２つの壁面に設けられた任意の吐出部から容器内に消毒液を補給する。この場合、吐出部からの消毒液の吐出のパターンは自由に選択できるが、海苔網を巻取った巻取り体から巻返す巻取り体に近い方の吐出部から消毒液を補給するのが好ましい。」
（２）「【００１７】図１において、
船１上には海苔網の消毒装置の主体となる容器２が積載されている。
巻取り体３Ａ，３Ｂ，３Ｃ，３Ｄ
（・・・中略・・・） 
【００１９】図１〜図３において、容器２の側部にはタンク１０が設けられている。
タンク１０には濃い目の消毒液が貯溜されている。
【００２０】タンク１０はパイプ１３を通じてポンプ１４に接続されている。
タンク１０にはパイプ１５が接続されており、パイプ１５の先端部は流路の切替手段であるコック１６に接続されている。
容器２の互いに相対する壁面には吐出部１９，２０が設けられている。
【００２１】したがって
タンク１０内の消毒液は
ポンプ１４
吐出部１９または吐出部２０から容器２内へ
吐出される
２つの吐出部１９，２０から同時に容器２へ消毒液を供給するようにしてもよい
（３）図１「
　　　　　　　　　　　　　　　　　　　　　　　　　　　　」
（４）「図２
　　　　　　　　　　　　　　　　　　　　　　　　　　　　」
（５）「図３
　　　　　　　　　　　　　　　　　　　　　　　　　　　　」
（６）上記（２）の記載を踏まえると、上記（３）の図１からは、消毒装置の容器２が積載される船１は
箱形の船
　上記（２）の記載を踏まえると、上記（５）の図３からは、
濃度の濃いめの消毒液の吐出部１９、２０は、容器２の上方の互いに相対する壁面に、巻取り体の回転軸と交差する方向に消毒液を吐出するように設けられている
（７）上記（１）ないし（６）からみて、甲第２号証には、次の発明（以下「甲２発明」という。）が記載されていると認められる。
　甲２発明
　「消毒液が貯溜される容器２と、この容器２の内部に配設されて回転する複数本の海苔網の巻取り体３Ａ，３Ｂ，３Ｃ，３Ｄと、消毒液が貯溜されるタンク１０と、このタンク１０内の消毒液を吸い出すポンプ１４と、このポンプ１４で吸い出された消毒液を前記容器２へ供給する配管とを備えた海苔網の消毒装置が積載された箱形の船１であって、
　配管に接続された吐出部１９、２０が前記容器の上方の相対する２つの壁面に、巻取り体の回転軸と交差する方向に消毒液を吐出するように設けられている、箱形の船１。」
　３　甲第３号証（特開平４−２５２１２１号公報）
　申立書に添付された甲第３号証には、以下の事項が記載されている。
（１）「【請求項１】　　海面に張設された海苔網の始端を
洗滌液を満した洗滌槽
【請求項２】　　第１の巻取り軸に海苔網を巻きつける際に、洗滌液をシャワーすることとした請求項１記載の海苔付網の洗滌方法
（・・・中略・・・）
【請求項６】　　平面方形の
洗滌槽内に、二本の巻取り軸を平行に、かつ水平に回転自在に架設し、
洗滌槽の側縁部にシャワー管を前記巻取り軸と平行に架設した
海苔付網の洗滌装置
（２）「【０００９】前記における
洗滌液は、
弱酸性
であり
（３）「【００１５】
【実施例１】図１のように、海面に敷設され海苔網１の一方の端Ａ（端縁側）を支柱棒２、２の吊綱１６から外して、図４、５に示す洗滌槽３内の
第１の巻取り軸４
第２の巻取り軸９
洗滌槽３をのせた箱舟１４
【００１６】前記実施例において、
海苔網１を巻取る際に、
吸入ホース１９から洗滌槽３内の洗滌液を吸入し、吐出ホース２０を介して洗滌槽３の一側に架設したシャワー管２１から巻込まれる海苔網１に洗滌液をシャワーすれば、海苔網１等の付着汚物が先づ洗除される
（４）「図３
　　　　　　　　　　　　　　　　　　　　　　　　　　　　」
（５）「図４
　　　　　　　　　　　　　　　　　　　　　　　　　　　」
（６）「図５
　　　　　　　　　　　　　　　　　　　　　　　　　　　」
（７）上記（１）〜（６）からみて、甲第３号証には、次の発明（以下「甲３発明」という。）が記載されていると認められる。
　甲３発明
「海苔付網の洗滌装置の洗滌槽３をのせた箱舟１４であって、洗滌槽３内に、二本の巻取り軸４、９を平行に、かつ水平に回転自在に架設し、洗滌槽３の側縁部にシャワー管２１を前記巻取り軸４、９と平行に架設し、シャワー管２１から海苔網１に吸入ホース１９から吸入した洗滌槽３内の洗滌液をシャワーする、箱舟１４。」
　４　甲第４号証（特開平８−２９８８８５号公報）
　申立書に添付された甲第４号証には、以下の事項が記載されている。
（１）「【００２２】本実施例の海苔網作業船は、
船本体１に液処理装置２を搭載した
液処理装置２は、処理液槽３、
四本の巻取りローラ５ａ〜５ｄ
などから構成されている
【００２３】
船本体１は
箱状のものであり
【００２４】処理液槽３は、ＦＲＰ製の箱状のもので、船本体１に搭載した後、動かないように固定されている。この
処理液槽３には、槽体を船体前後方向
に二分する仕切り板４が設けられ
仕切り板４の一方の側に巻取りローラ５ａ，５ｂが配設され、他方の側に巻取りローラ５ｃ，５ｄが配設されている
（２）上記（１）からみて、甲第４号証には、次の発明（以下「甲４発明」という。）が記載されていると認められる。
　甲４発明
「液処理装置２を搭載した箱状の船本体１であって、液処理装置２の処理液槽３には槽体を船体前後方向に二分する仕切り板４が設けられ、この仕切り板４の一方の側に巻取りローラ５ａ，５ｂが配設され、他方の側に巻取りローラ５ｃ，５ｄが配設されている箱状の船本体１。」
第５　当審の判断
　１　特許法第２９条第２項（容易性）
（１）請求項１について
　ア　対比
　本件発明１と甲１発明とを対比する。
　甲１発明の「酸処理液ａ」、「処理槽２」及び「ｐＨ検出用センサ１４」は、それぞれ、本件発明１の「酸処理液」、「酸処理槽」及び「ｐＨセンサ」に相当する。
　甲１発明の「処理槽２内」に「軸支」された「２つの正逆回転自在の回転体４，５」は、処理槽２内に設けられたものである。そして、「一方の回転体４を海苔網引上げ用とし、他方の回転体５を海苔網戻し用とし」たものであって、引上げた海苔網を巻き取る一方の回転体４も、引上げた海苔網が巻き戻される他方の回転体５も海苔が付着した海苔網を巻き取る回転体であることは自明であるから、甲１発明の「一方の回転体４」及び「他方の回転体５」とからなる「２つの正逆回転自在の回転体４，５」は、本件発明１の「酸処理槽内に設けられ、海苔が付着した海苔網を巻き取る一対の巻取ロール」に相当する。
　甲１発明の「処理槽２」と「２つの正逆回転自在の回転体４，５」とを備える「海苔網処理装置１を装着した船」と、本件発明１の「酸処理液を貯留する酸処理槽と、該酸処理槽内に設けられ、海苔が付着した海苔網を巻き取る一対の巻取ロールとを備える箱型船」とは、「酸処理液を貯留する酸処理槽と、該酸処理槽内に設けられ、海苔が付着した海苔網を巻き取る一対の巻取ロールとを備える船」の点で共通する。
　甲１発明の「回転体４，５に巻き取られる海苔網と干渉しない位置に配置され」る「複数の酸原液を噴出する為の孔１３が所定間隔で形成され」た「パイプ１１」は、本件発明１の「巻取ロールに巻き取られる海苔網と干渉しない位置に設けられ、酸原液を吐出する原液吐出部」に相当する。
　甲１発明の「パイプ１１」が「管状部材」であることは自明であるから、
　甲１発明の「複数の酸原液を噴出する為の孔１３が所定間隔で形成され」た「パイプ１１」が、「回転体４，５に沿って」「処理槽２」の「底面」に設けられ、「前記回転体４，５の間に設けられている」点と、本件発明１の「原液吐出部は、一対の巻取ロールに沿って酸処理槽の上方に設けられる管状部材であり、前記一対の巻取ロールの間に設けられている」点とは、「原液吐出部は、一対の巻取ロールに沿って酸処理槽に設けられる管状部材であり、前記一対の巻取ロールの間に設けられている」点で共通する。
　甲１発明の「制御部９」は、「ｐＨ検出用センサ１４からの出力信号に基づいてポンプ１２を作動させるプログラムが記憶されているメモリ１８」を備えてなり、「酸処理液ａを一定のｐＨ値、例えばｐＨ２．０前後に保持する」制御を行うものである。
　また、甲１発明は、「酸原液を収納したタンク１０」に、「ポンプ１２を介してパイプ１１の基端部」が「接続」され、先端部の処理槽２内の底面に沿って配設されたパイプ１１には複数の酸原液を噴出する為の孔１３が所定間隔で形成されているものであるから、甲１発明において「ポンプ１２を作動させ」ることは、処理槽２内の底面に沿って配設された酸原液を噴出する為の孔１３が設けられたパイプ１１に酸原液を供給することといえる。
　そうすると、甲１発明の「メモリ１８」に記憶されている「ｐＨ検出用センサ１４からの出力信号に基づいてポンプ１２を作動させるプログラム」により「酸処理液ａを一定のｐＨ値、例えばｐＨ２．０前後に保持する」制御を行う「制御部９」により作動する「酸原液補給装置８」は、本件発明１の「ｐＨセンサの検出値に基づいて原液吐出部に供給する酸原液の供給量を自動調節する原液供給装置」に相当する。
　そうすると、甲１発明と本件発明１とは、以下の一致点、相違点を有する。
一致点
　酸処理液を貯留する酸処理槽と、該酸処理槽内に設けられ、海苔が付着した海苔網を巻き取る一対の巻取ロールとを備える船であって、
　前記酸処理槽に設けられ、前記酸処理液のｐＨを検出するｐＨセンサと、
　前記巻取ロールに巻き取られる前記海苔網と干渉しない位置に設けられ、酸原液を吐出する原液吐出部と、
　前記ｐＨセンサの検出値に基づいて前記原液吐出部に供給する前記酸原液の供給量を自動調節する原液供給装置とを備え、
　前記原液吐出部は、前記一対の巻取ロールに沿って前記酸処理槽に設けられる管状部材であり、前記一対の巻取ロールの間に設けられている船。
　相違点１
　本件発明１は、「酸処理液を貯留する酸処理槽と、該酸処理槽内に設けられ、海苔が付着した海苔網を巻き取る一対の巻取ロールとを備える船」が「箱形船」と特定されているのに対し、甲１発明はそのように特定されていない点。
　相違点２
　「一対の巻取ロールに沿って前記酸処理槽に設けられる管状部材」である「原液吐出部」が設けられる位置が、本件発明１は「酸処理槽の上方」であるのに対し、甲１発明は「処理槽２」（酸処理槽）の「底面に沿っ」た位置である点。
　イ　判断
　事案に鑑み上記相違点２について検討する。
　甲２発明は、本件発明１の「酸処理槽」に相当する「容器」の上方に、本件発明１の「原液吐出部」に相当する「吐出部１９、２０」を設けるものであるが、「吐出部１９、２０」は、容器の「相対する２つの壁面」に設けられているものであるし、「巻取り体の回転軸と交差する方向に消毒液を吐出するように」設けられているものであって、一対の巻取ロールに沿って、一対の巻取ロールの間に設けられる管状部材でもない。
　海苔養殖に用いる「酸処理槽」において、酸原液を槽内に供給する場合、甲１発明や甲２発明のように、槽の底面や側面に吐出口を設けることが通常であり、甲２発明が容器の上方に酸原液の吐出部を設けていることをもって、甲１発明の容器の底面に沿った位置とされた原液吐出部を酸処理槽の上方に設けるものへと変更することが当業者が容易になし得たこととはいえない。
　甲３発明は、洗滌槽３内の洗滌液をシャワー管２１から海苔網１にシャワーするものであって、酸原液を酸処理槽に供給するものでないから、甲１発明の原液吐出部の配置を変更することに関し、何らの開示もなく、示唆もない。
　甲４発明は、原液吐出部について開示がなく、甲１発明の原液吐出部の配置を変更することに関し、何らの開示もなく、示唆もない。
　また、「前記一対の巻取ロールに沿って前記酸処理槽に設けられる管状部材」である原液吐出部を「酸処理槽の上方」に設けることが当業者に周知であるものでもない。
　よって、相違点２は甲２発明ないし甲４発明に基いて、当業者が容易に想到をすることができたものではない。
　したがって、相違点１について検討するまでもなく、本件発明１は甲１発明ないし甲４発明に基いて、当業者が容易に発明をすることができたものではない。
　ウ　小括
　以上のとおりであるから、本件発明１は、甲１発明ないし甲４発明に基いて、当業者が容易に発明をすることができたものではない。
（２）本件発明２、３について
　本件発明２、３は、本件発明１の発明特定事項を全て含み、さらに限定を加えた発明である。
　よって、上記（１）で検討した理由と同様の理由により、本件発明２、３は、甲１発明ないし甲４発明に基いて、当業者が容易に発明をすることができたものではない。
　２　特許法第３６条第６項第１号（サポート要件）
（１）申立人の主張
　申立人は、サポート要件について、概略、本件発明１の原液吐出部が「酸処理槽の上方」に設けられる管状部材であることは、明細書または図面にサポートする記載や示唆が無いものであり、３６条第６項第１号に規定する要件を満たしていないものである旨主張し（申立書第３頁）、その理由として、「上述の如く、当所明細書（当審註：「当初明細書」の誤記と認める）には、本件出願人が主張する「酸処理槽内の酸処理液に対して、一対の巻取ロールの間かつ酸処理液の液面（上面）よりも上方から酸処理液に向けて酸原液を供給することを特徴点とする」記載、例えば、図２(ａ)において、樹脂シート７を除外して酸処理液に向けて酸原液を供給するもの、当該一般的な当業界の箱型船では吐出口から処理液上面までの高さは通常：１０〜５０ｃｍであり、この場合、本件出願人が明細書で記載するように、船本体１の揺動（海上であるので、更に波の影響や風邪の影響（当審註：「風の影響」の誤記と認める）などにより、巻き取ロール５ａ又は５ｂで巻取っている（巻取り厚みが増加する）海苔網に滴下される水滴などが飛ばされて直接接触し、海苔にダメージを与えて生育を阻害する可能性が高いものと思料されます。
　本件発明の課題及びその効果は、当所明細書（当審註：「当初明細書」の誤記と認める）段落【０００６】（酸処理液を所望のｐＨ値に維持することが可能な箱型船を提供することを目的とする。）、並びに、当初明細書段落【００１０】（酸処理液のｐＨを自動調節するので、酸処理液を所望のｐＨ値に維持することが可能な箱型船を提供することができる。）ことを記載しているが、本件意見書（当審註：令和１年８月２日付け意見書、甲第６号証４−２）で記載するように、「本願発明は、酸原液が海苔網（海苔）に直接接触しないこと、また酸原液の酸処理液への混ざり易さを良好とすることを念頭に創作されたものであり、またこの２つの条件を同時に満足するものです。」ことが、当所明細書（当審註：「当初明細書」の誤記と認める）に開示も示唆等もない真の発明の課題及びその効果であり、そのため、段落【００１３】〜【００３６】及び図１、図２の第１実施形態で、「酸原液１２は、一対チューブ８Ａ、８Ｂに設けられた複数の吐出孔８ａ、８ｂから樹脂シート７に向けて吐出され、樹脂シート７の表面をつたって流下する形態」（親出願：特許第６１６１０１６号）とし、段落【００３７】〜【００３６】（当審註：申立書第３頁（理由の要点）欄の記載に鑑み【００３６】は、【００４７】の誤記と認める）の第２実施形態及び図３で、「原液吐出部は、前記酸処理槽において前記海苔網の進入側の壁面近傍に設けられ、当該壁面に向かって前記酸原液を吐出することを特徴とする箱型船。」（孫出願：特許第６６７２２５２号）とし、酸原液が海苔網（海苔）に直接接触しないように、樹脂シート又は処理槽の壁面に吐出させるものであり、これ以外の記載や示唆等は当所明細書（当審註：「当初明細書」の誤記と認める）及び図面にはないものである。」（申立書第１２頁第３行〜下から２行）と主張する。
　当該主張は、本願発明１ないし３は、酸原液が海苔網（海苔）に直接接触しないこと、また酸原液の酸処理液への混ざり易さを良好とすることの２つの条件を同時に満足することが課題であり、これらの課題を解決するために、酸原液を樹脂シート７の表面ないし処理槽の壁面を流下するものとしたものであって他の手段を開示しないものであるのだから、本件発明１を、酸原液が流下する樹脂シートが存在しないものにまで拡張一般化することができないとの主張と解されるので、当該主張については、下記（２）ウにて検討する。
（２）サポート要件の検討
　ア　本件明細書等の記載事項
　本件明細書及び図面には以下の記載がある。
（ア）「【発明を実施するための形態】
【００１３】
　以下、図面を参照して、本発明の実施形態について説明する。
〔第１実施形態〕
　本実施形態に係る箱型船Ａは、養殖中の海苔網上の海苔を酸処理する酸処理装置である。箱型船Ａは、船本体１、酸処理液２が貯留する酸処理槽３、海苔網４を巻き取る一対の巻取ロール５ａ、５ｂ、吊り棒６（棒状部材）、樹脂シート７（シート部材）、チューブ８Ａ、８Ｂ（管状部材）、ｐＨセンサ９、ｐＨ制御器１０、酸原液ポンプ１１、酸原液１２を貯蔵する酸原液タンク１３、巻出ロール１４ａ、１４ｂを備える。なお、ｐＨ制御器１０、酸原液ポンプ１１及び酸原液タンク１３は、本発明における原液供給装置を構成している。
（・・・中略・・・）
【００１８】
　
吊り棒６は、酸処理液２の液面に対峙するように酸処理槽３の上方に設けられた棒状部材である。
吊り棒６は、一対の巻取ロール５ａ、５ｂの中間、かつ、当該巻取ロール５ａ、５ｂと平行な姿勢になるように、両端が船本体１の上部に固定されている。
【００１９】
　樹脂シート７は、略長方形かつ可撓性を有するシート部材であり、例えば塩化ビニル製の白色シートである。この樹脂シート７は、一方の長辺（上端）が吊り棒６に固定され、当該吊り棒６から酸処理液２の液面に向かって垂下する。また、この樹脂シート７は、図示するように、他方の長辺（下端）が酸処理液２の液面から間隔Ｄを空けた位置となるように、酸処理液２の液面より上方に位置するように設けられている。
【００２０】
　
チューブ８Ａ、８Ｂは、
両側に吊り棒６に沿って設けられた管状部材である。このチューブ８Ａ、８Ｂには、複数の吐出孔８ａ、８ｂが長さ方向に所定間隔で形成されており、
各吐出孔８ａ、８ｂは、酸原液１２を
吐出する
【００２１】
　ここで、吊り棒６、樹脂シート７及びチューブ８Ａ、８Ｂは、本発明における原液吐出部を構成している。すなわち、吊り棒６、樹脂シート７及びチューブ８Ａ、８Ｂは、一対の巻取ロール５ａ、５ｂの間に酸原液１２を吐出する。」
（イ）「図１
　　　　　　　　　　　　　　　　　　　　　　　　　　　」
（ウ）「図２
　　　　　　　　　　　　　　　　　　　　　　　　　　」
　イ　本件発明１の「前記原液吐出部は、前記一対の巻取ロールに沿って前記酸処理槽の上方に設けられる管状部材であり、」と、発明の詳細な説明に記載されたものとの対比
　発明の詳細な説明には、吊り棒６は、「一対の巻取ロール５ａ、５ｂの中間、かつ、当該巻取ロール５ａ、５ｂと平行な姿勢になるように、両端が船本体１の上部に固定されている」ものであって「酸処理液２の液面に対峙するように酸処理槽３の上方に設けられた棒状部材」であることが記載される。
　そうすると、吊り棒６は、「一対の巻取ロールに沿って酸処理槽３の上方に設けられる」ものといえる。
　発明の詳細な説明には、「チューブ８Ａ、８Ｂ」について「吊り棒６に沿って設けられた管状部材である」こと、「酸原液１２」を吐出する「吐出孔８ａ、８ｂ」が形成されていること、が記載される。
　そうすると、発明の詳細な説明には、酸原液を吐出する原液吐出部である「チューブ８Ａ、８Ｂ」は、吊り棒６に沿って設けられた管状部材であることが記載されているといえる。また、吊り棒６は「一対の巻取ロールに沿って前記酸処理槽の上方に設けられる」ものであるから、吊り棒６に沿って設けられた管状部材である「チューブ８Ａ、８Ｂ」も「一対の巻取ロールに沿って前記酸処理槽の上方に設けられる」ものである。
　よって本件発明１の「前記原液吐出部は、前記一対の巻取ロールに沿って前記酸処理槽の上方に設けられる管状部材であり、」は、発明の詳細な説明に記載されたものである。
　ウ　本件発明１の原液吐出部の拡張一般化（「前記原液吐出部は、前記一対の巻取ロールに沿って前記酸処理槽の上方に設けられる管状部材であり、」との発明特定事項において原液吐出部に樹脂シートが含まれないこと）について
（ア）本件発明１の課題について
　本件発明１は海苔網を酸処理液に浸漬させる処理を行うものであり、酸原液が海苔網（海苔）に接触すれば海苔の品質が劣化し得ることは自明であるから、原液吐出部を、前記酸処理槽の上方に設けるにあたり、酸原液の海苔網（海苔）への接触を抑制することは、当業者に自明の課題といえる。
（イ）原液吐出部に樹脂シートを含まないことによる拡張ないし一般化について
　しかし、樹脂シートへの吐出が当該課題を解決する必須の要件であるというものではない。
　申立人は、「一般的な当業界の箱型船では吐出口から処理液上面までの高さは通常：１０〜５０ｃｍであり、この場合、・・・船本体１の揺動（海上であるので、更に波の影響や風邪の影響（当審註：「風の影響」の誤記と認める）などにより、巻き取ロール５ａ又は５ｂで巻取っている（巻取り厚みが増加する）海苔網に滴下される水滴などが飛ばされて直接接触し、海苔にダメージを与えて生育を阻害する可能性が高い」と主張しているが、吐出口の位置は申立人の主張する位置とは限らず、高さや巻取ロールとの配置によってはこのような不都合を生じないようにすることも十分想定することができる。
　そうすると、酸原液が海苔網（海苔）に接触することを抑制するための構成として樹脂シートを含まなくても酸原液が海苔網（海苔）に直接接触しないこと、また酸原液の酸処理液への混ざり易さを良好とすることの２つの条件を同時に充足することができると認められる。
　そうすると、原液吐出部に樹脂シートが含まれず、本願の課題が解決できないとの理由で、「前記原液吐出部は、前記一対の巻取ロールに沿って前記酸処理槽の上方に設けられる管状部材であり、」との発明特定事項が発明の詳細な説明に記載されたものではないとは言えない。
（３）　小括
　以上のとおりであるから、「前記原液吐出部は、前記一対の巻取ロールに沿って前記酸処理槽の上方に設けられる管状部材であり」とされる本件発明１及びそれを引用する本件発明２及び３は、発明の詳細な説明に記載された発明である。
　３　付加的検討
　申立人は、特許法第４４条第１項（特許出願の分割要件）違反も主張しているが、当該理由により本件特許は取り消されるべきであると主張しているわけではなく、また、当該理由は、特許法第１１３条各号に規定する特許異議申立ての理由に該当しない。
　よって、当該主張については検討を要するものではない。
第６　むすび
　したがって、特許異議の申立ての理由及び証拠によっては、請求項１ないし３に係る特許を取り消すことはできない。
　また、他に請求項１ないし３に係る特許を取り消すべき理由を発見しない。
　よって、結論のとおり決定する。
【異議決定日】
令和２年１２月１４日（２０２０．１２．１４）